(57)【要約】【課題】新規形状を有し、もってパッティング時の力の伝達効率が良く、力を加える向き（方向性）も正確さを増大させることができるゴルフパター用グリップを提供する。【解決手段】ゴルフパターに用いられるグリップ１１において、当該グリップ１１における把持部１９の形状をグリップエンド１４側からヘッド側へかけて漸次太くなる形状または全長に亙って太さの均一な形状とする。またこれに加えて、グリップ１１における把持部１９の断面形状を楕円または正方形などヘッドのフェース面と直交する方向に方向性をもつ形状とする。【選択図】図４
2005160690.tif 000002
【特許請求の範囲】
【請求項１】
ゴルフパター（１）に用いられるグリップ（１１）において、
当該グリップ（１１）における把持部（１９）の形状をグリップエンド（１４）側からヘッド（３１）側へかけて漸次太くなる形状または全長に亙って太さの均一な形状としたことを特徴とするゴルフパター用グリップ。
【請求項２】
請求項１のゴルフパター用グリップにおいて、
当該グリップ（１１）における把持部（１９）の断面形状を楕円または正方形などヘッド（３１）のフェース面（３２）と直交する方向に方向性をもつ形状としたことを特徴とするゴルフパター用グリップ。
【発明の詳細な説明】
【技術分野】
【０００１】
本発明は、ゴルフクラブの構成要素の一つであるゴルフパター用グリップに関するものである。
【背景技術】
【０００２】
パターで必ず入るパターも無ければ、絶対入らないパターも無い。ただ個人差によるパターの善し悪しは有る。それはその人の体力や運動神経またはパッティングフォーム等による。もしその人にそのパターの商品コンセプトが合致するならば、その人にとってそのパターは「良く入るパター」ということになる。したがって市場には無数のタイプのパターが氾濫している。このような状況のもとで本願発明者らは、振り子タイプのパターにおいて、身長や体重、そしてパッティングスタイルの違い等をカバーするために、パターグリップの選択や長さ調整のできる取付けシステム、パターヘッドの重さをデザインに組み込んだウエイト調整などが可能なパターと、このパターとともに利用するのに適したパター練習機とを開発した。このうち本発明は、パターグリップの選択に関するものである。
【０００３】
すなわち周知のように、パターのグリップはアイアンやウッドのグリップと同様に、グリップエンド側からヘッド側へかけて漸次細くなる形状（先細形状）に形成されている（例えば特許文献１参照）。
【０００４】
しかしながら、この形状は、ショット時にクラブを振り回すアイアンやウッドではクラブの飛び出しを防止する観点から有効な形状であるが、クラブを振り回すことのないパターでは合理的な根拠を見出すことができず、ただ単にアイアンやウッドの真似をしているといっても過言ではない。
【０００５】
【特許文献１】特開２００３−１１７０３５号公報（図１、図２、図３）
【発明の開示】
【発明が解決しようとする課題】
【０００６】
本発明は以上の点に鑑みて、新規な形状を有し、もってパッティング時の力の伝達効率が良く、力を加える向き（方向性）も正確さを増大させることができるパターグリップを提供することを目的とする。
【課題を解決するための手段】
【０００７】
上記目的を達成するため、本発明の請求項１によるゴルフパター用グリップは、ゴルフパターに用いられるグリップにおいて、当該グリップにおける把持部の形状をグリップエンド側からヘッド側へかけて漸次太くなる形状または全長に亙って太さの均一な形状としたことを特徴とするものである。
【０００８】
また、本発明の請求項２によるゴルフパター用グリップは、上記した請求項１のゴルフパター用グリップにおいて、当該グリップにおける把持部の断面形状を楕円または正方形などヘッドのフェース面と直交する方向に方向性をもつ形状としたことを特徴とするものである。
【発明の効果】
【０００９】
本発明は、以下の効果を奏する。
【００１０】
すなわち、上記構成を備えた本発明の請求項1によるゴルフパター用グリップにおいては、グリップにおける把持部の形状をグリップエンド側からヘッド側へかけて漸次太くなる形状または全長に亙って太さの均一な形状としたために、例えば右利きのプレーヤーが左手を軸（支点）として右手でパターを押し出すようなパッティングを行なう場合に、右手からパターへの力の伝達を効率良く行なうことが可能となる。また、力を加える右手の把持部分が特に太く形成されているために、パターを押し出すときに発生しがちなパターの軸周方向の振れを角度的に小さなものとすることが可能となり、これにより力を加える向き（方向性）についての正確さを増大させることが可能となる。したがって、従来よりも正確にパッティングを行なうことができる。
【００１１】
またこれに加えて、上記構成を備えた本発明の請求項２によるゴルフパター用グリップにおいては、グリップにおける把持部の断面形状を楕円または正方形などヘッドのフェース面と直交する方向に方向性をもつ形状としたために、視覚に加えてグリップを把持する手指の感覚によっても打球方向を定めることが可能となる。したがって、この手指の感覚を用いることにより打球方向を一層定め易いパタークラブを提供することができる。
【発明を実施するための最良の形態】
【００１２】
本発明において、グリップにおける把持部の形状をグリップエンド側からヘッド側へかけて漸次太くなる形状（先太形状）とするには、把持部の横断面形状を同方向へ向けて相似的に漸次拡大する形状とするのが好適であり、またグリップにおける把持部の形状を全長に亙って太さの均一な形状（均一形状）とするには、把持部の横断面形状を全長に亙って同じ形状とするのが好適である。把持部の横断面形状は一般の円形で良いが、請求項２に記載したように楕円または正方形などヘッドのフェース面と直交する方向に方向性をもつ形状としても良い。尚、把持部とはグリップの全長のうち長手方向両端部を除いたグリップ本体部分のことを言う。
【実施例】
【００１３】
つぎに本発明の実施例を図面にしたがって説明する。
【００１４】
図１は、本発明の実施例に係るグリップ１１を備えたゴルフパター１を、アドレスして当該パター１を構えた利用者の目線の方向から見た状態の説明図であって、図示するように当該パター１はその構成要素としてグリップ１１、シャフト２１およびヘッド３１を有している。また、当該パター１はいわゆる振り子式パターであって、シャフト２１はその下端部に屈曲部２２を有するものの、その中心軸線はヘッド３１の重心の方向を向いている。
【００１５】
図２ないし図４は、グリップ１１の単品図を示しており、グリップ１１は、シャフト２１を差し込んで固定する中空剛性体よりなる内層（内層部材とも称する）１２と、この内層１２を被覆する外層（外層部材とも称する）１３とを有している。
【００１６】
内層１２は、ステンレス等の金属によって円筒状に形成されており、シャフト２１の端部を挿抜自在に差し込むことができる内径寸法ｄ１を有しており、また外層１３のグリップエンド１４を除く全長に亙って内挿される長さ寸法Ｌ１を有している。
【００１７】
外層１３は、ゴム状弾性体によって形成されており、その中心軸線上に内層１２を挿入するための円筒状の内層保持孔１５を有している。この内層保持孔１５は外層１３のヘッド側端部１６に開口しており、グリップエンド１４側は先止まりとされている。外層１３の長さ寸法（全長）は実寸で約３００ｍｍとされている。図４に示すように外層１３の表面には、溝状ないし凹部状等を呈する滑り止め１７を形成しても良い。
【００１８】
この内層１２と外層１３は、インサート成形により一体化されており、または圧入や接着等その他の組付け手段により一体化されており、いずれにしても内層１２の内周空間がヘッド側端部１６に開口してシャフト差込み孔１８とされている。
【００１９】
また図示するように、外層１３は、その長手方向両端部を除く把持部１９がその全長Ｌ２に亙って太さの均一な形状に形成されている。また、把持部１９はその全長Ｌ２に亙って横断面形状が楕円形に形成されており、これによりこのグリップ１１はヘッド３１のフェース面３２と直交する方向に方向性をもつ形状とされている（詳細後述）。把持部１９の長さ寸法は実寸で約２６０ｍｍとされており、上記楕円形の長径寸法は約４０ｍｍ、短径寸法は約１８ｍｍとされている。外層１３の長手方向両端部はそれぞれ、上記横断面形状である楕円形が徐々に小さくなるような先窄まりの形状に形成されている。
【００２０】
上記構成のグリップ１１は、利用者が自らシャフト２１を任意の深さまで差し込んで固定することによりパター１の長さを利用者個々の好みの長さとなるよう設定するように構成されている。したがって、利用者が当該パター１を購入した時点ではグリップ１１は、一端にヘッド３１を固定したシャフト２１とは別体とされている。利用者はグリップ１１のシャフト差込み孔１８にシャフト２１の端部を任意の深さまで差し込んで固定することになる。したがってシャフト差込み孔１８の全長すなわち内層１２の全長に亙ってシャフト２１を差し込んで固定することも可能であるし、または内層１２の長手方向中途までシャフト２１を差し込んで固定することも可能とされている。この後者の、内層１２の長手方向中途までシャフト２１を差し込んで固定した場合、シャフト２１が差し込まれていない内層１２のグリップエンド側余剰部分は当該パター１ないしグリップ１１の剛性についてシャフト２１の延長部分として機能し、よって当該パター１ないしグリップ１１の全長に亙って剛性を確保することが可能とされており、換言すればこの機能によりパター１の長さ調整が可能とされている。
【００２１】
グリップ１１とシャフト２１は、接着剤（図示せず）によって固定される。接着剤の種類としては、粘度が高く接着力が強い接着剤が適しており、このような接着剤をシャフト差込み孔１８に注入したり、シャフト２１の上端部外周面に塗布したりして使用する。尚、当該パター商品の流通に際しては、利用に適した接着剤が当該パター１の付属品として利用者に提供されることになる。
【００２２】
断面楕円形を呈するグリップ１１の取付けの向きについては、図１に示したように楕円形の長径方向がヘッド３１のフェース面３２と直交する方向を向くようヘッド３１およびシャフト２１に対してグリップ１１を固定する。この場合、利用者は同図に概略を示すように、左手４１の掌でグリップ１１を手前側から受けるようにして握ってパッティングの方向性を維持し、グリップ１１の下の方に延ばした右手４２の人差し指の腹をグリップ１１の後側長径稜線に当ててパッティングの距離感を出し、この要領で振り子式にパッティングする。グリップエンド１４はこれを腹部に押し当てても良い。尚、この取付けの向きは利用者の任意（好み）であるので、上記の場合と９０度違えて、楕円形の短径方向がヘッド３１のフェース面３２と直交する方向を向くようヘッド３１およびシャフト２１に対してグリップ１１を固定しても良い。
【００２３】
上記構成によれば、以下の作用効果を奏することが可能である。
【００２４】
（１）  すなわち先ず、グリップ１１にシャフト２１を任意の深さまで差し込んで固定することによりパター１の長さを利用者個々の好みの長さとなるよう設定するように構成されているために、利用者は身長やフォーム等に合わせてパター１の長さを自在に調整することが可能である。調整はまったくの無段階調整であり、よって微妙な調整まで可能である。したがって、利用者は１本のパター１を最適な長さとして利用することが可能となり、これにより無理のない理想的なパッティングフォームを得ることができる。
【００２５】
（２）  また、金属製の内層１２が外層１３のグリップエンド１４を除く全長に内挿されていて、内層１２のグリップエンド側余剰部分がパター１ないしグリップ１１の剛性についてシャフト２１の延長部分として機能するために、内層１２の長手方向中途までシャフト２１を差し込んで固定した場合でもパター１ないしグリップ１１の全長に亙って剛性を確保することが可能である。したがって、パター１の長さを自在に調整可能でありながらどのような長さに調整してもパター１ないしグリップ１１の全長に亙って剛性を確保することができ、よってパッティングに支障を生じることがないパタークラブを提供することができる。
【００２６】
（３）  また、グリップ１１の外層１３における把持部１９がその全長Ｌ２に亙って太さの均一な形状とされているために、例えば右利きのプレーヤーが左手４１を軸（支点）として右手４２の人差し指でパター１を押し出すようなパッティングを行なう場合に、右手４２の人差し指からパター１への力の伝達を効率良く行なうことが可能である。また、力を加える右手４２の把持部分が特に太く形成されているために、パター１を押し出すときに発生しがちなパター１の軸周方向の振れを角度的に小さなものとすることが可能であり、これにより力を加える向き（方向性）についての正確さを増大させることが可能である。したがって、従来よりも正確にパッティングを行なうことができる。
【００２７】
（４）  更にまた、グリップ１１の外層１３における把持部１９の横断面形状がその全長Ｌ２に亙って楕円形に形成されてヘッド３１のフェース面３２と直交する方向に方向性をもつ形状とされているために、利用者は視覚に加えてグリップ１１を把持する手指の感覚によっても打球方向を定めることが可能である。したがって、この手指の感覚を用いることにより打球方向を一層定め易いパタークラブを提供することができる。
【００２８】
尚、上記実施例には、本発明の技術的思想の範疇で様々な変更を加えることができる。例えばグリップ１１の形状は以下のようなものであっても良い。
【００２９】
図５ないし図７は、本発明の他の実施例に係るグリップ１１の単品図を示しており、このグリップ１１は、シャフト２１を差し込んで固定する中空剛性体よりなる内層（内層部材とも称する）１２と、この内層１２を被覆する外層（外層部材とも称する）１３とを有している。
【００３０】
内層１２は、ステンレス等の金属によって円筒状に形成されており、シャフト２１の端部を挿抜自在に差し込むことができる内径寸法ｄ１を有しており、また外層１３のグリップエンド１４を除く全長に亙って内挿される長さ寸法Ｌ１を有している。
【００３１】
外層１３は、ゴム状弾性体によって形成されており、その中心軸線上に内層１２を挿入するための円筒状の内層保持孔１５を有している。内層保持孔１５は外層１３のヘッド側端部１６に開口しており、グリップエンド１４側は先止まりとされている。外層１３の長さ寸法（全長）は実寸で約３００ｍｍとされている。図７に示すように外層１３の表面には、溝状ないし凹部状等を呈する滑り止め１７を形成しても良い。
【００３２】
内層１２と外層１３は、インサート成形により一体化されており、または圧入や接着等その他の組付け手段により一体化されており、いずれにしても内層１２の内周空間がヘッド側端部１６に開口してシャフト差込み孔１８とされている。
【００３３】
また図示するように、外層１３は、その長手方向両端部を除く把持部１９がその全長Ｌ２に亙ってグリップエンド１４側からヘッド３１側へかけて漸次太くなる形状に形成されている。また、把持部１９はその全長Ｌ２に亙って横断面形状が正方形（但し四隅は面取りされている）に形成されており、これによりこのグリップ１１はヘッド３１のフェース面３２と直交する方向に方向性をもつ形状とされている。把持部１９の長さ寸法は実寸で約２８５ｍｍとされており、上記正方形の一辺の寸法は最小（グリップエンド側端部）で約２０ｍｍ、最大（ヘッド側端部）で約３０ｍｍとされている。外層１３の長手方向両端部のうちグリップエンド１４はフランジ状に拡大形成されている。反対側のヘッド側端部１６は上記横断面形状である正方形が徐々に小さくなるような先窄まりの形状に形成されている。
【００３４】
上記形状のグリップ１１の取付けの向きについては、正方形の対向二辺がヘッド３１のフェース面３２と直交する方向を向くようヘッド３１およびシャフト２１に対してグリップ１１を固定する。この場合、利用者は、左手でスイングの途中パター１の方向が変化しない握り方をし、右手の人差し指の付け根でヒットして距離感を出し、この要領で振り子式にパッティングする。尚、この取付けの向きは利用者の任意（好み）であるので、上記の場合と４５度違えて、正方形の一方の対角線がヘッド３１のフェース面３２と直交する方向を向くようヘッド３１およびシャフト２１に対してグリップ１１を固定しても良い。他の構成は上記第一実施例と同様である。
【００３５】
上記構成のグリップ１１によれば、上記（１）および（２）の作用効果を奏するほか、以下の作用効果を奏することができる。
【００３６】
（３）  すなわち、グリップ１１の外層１３における把持部１９がその全長Ｌ２に亙ってグリップエンド１４側からヘッド３１側へかけて漸次太くなる形状とされているために、例えば右利きのプレーヤーが左手４１を軸（支点）として右手４２の人差し指でパター１を押し出すようなパッティングを行なう場合に、右手４２の人差し指からパター１への力の伝達を効率良く行なうことが可能である。また、力を加える右手４２の把持部分が特に太く形成されているために、パター１を押し出すときに発生しがちなパター１の軸周方向の振れを角度的に小さなものとすることが可能であり、これにより力を加える向き（方向性）についての正確さを増大させることが可能である。したがって、従来よりも正確にパッティングを行なうことができる。
【００３７】
（４）  また、グリップ１１の外層１３における把持部１９の横断面形状がその全長Ｌ２に亙って正方形に形成されてヘッド３１のフェース面３２と直交する方向に方向性をもつ形状とされているために、利用者は視覚に加えてグリップ１１を把持する手指の感覚によっても打球方向を定めることが可能である。したがって、この手指の感覚を用いることによって打球方向を一層定め易いパタークラブを提供することができる。
【００３８】
尚、上記各実施例では、グリップ１１を内層１２および外層１３よりなる２層構造としたが、両者１２，１３の間に第三層を介装するようにしても良い。
【図面の簡単な説明】
【００３９】
【図１】本発明の実施例に係るグリップを備えたパターの全体構成説明図
【図２】同グリップの単品図であって、（Ａ）はその側面図、（Ｂ）はその正面図
【図３】同グリップの単品図であって、（Ａ）はその平面図、（Ｂ）はその底面図、（Ｃ）は図２（Ｂ）におけるＡ−Ａ線断面図（横断面図）、（Ｄ）は図２（Ａ）におけるＢ−Ｂ線断面図（縦断面図）
【図４】同グリップの単品図であってその斜視図
【図５】本発明の他の実施例に係るグリップの単品図であって、（Ａ）はその側面図、（Ｂ）はその正面図
【図６】同グリップの単品図であって、（Ａ）はその平面図、（Ｂ）はその底面図、（Ｃ）は図５（Ｂ）におけるＣ−Ｃ線断面図（横断面図）、（Ｄ）は図５（Ａ）におけるＤ−Ｄ線断面図（縦断面図）
【図７】同グリップの単品図であってその斜視図
【符号の説明】
【００４０】
１  パター
１１  グリップ
１２  内層
１３  外層
１４  グリップエンド
１５  内層保持孔
１６  ヘッド側端部
１７  滑り止め
１８  シャフト差込み孔
１９  把持部
２１  シャフト
２２  屈曲部
３１  ヘッド
３２  フェース面
４１  左手
４２  右手
【図１】
2005160690.tif 000003
【図２】
2005160690.tif 000004
【図３】
2005160690.tif 000005
【図４】
2005160690.tif 000006
【図５】
2005160690.tif 000007
【図６】
2005160690.tif 000008
【図７】
2005160690.tif 000009